(57)【要約】      （修正有）【課題】不使用時には楽に、扁平に閉脚することで、占有面積を狭くして、狭い玄関でも有効に使えるようにすると同時に、高齢者のように足腰の弱い人や、肥満体の人でも使う時には簡単に開脚して、安心して着座でき、容易に靴が履ける低座床で、脚の開閉可能な前脚・座板跳ね上げ式折りたたみ腰掛を提供する。【解決手段】前脚、後脚、手摺 及び 座板による４軸回転式方形を採用し、手摺及び座板の水平２辺を 残った前脚の垂直１辺の誘導で 円弧運動をしながら後脚方向に跳ね上げて保持・固定し、不使用時の占有面積を狭くし、使用する時には、簡単な一動作で開脚する。しかも 通常の腰掛・椅子より低座床で 更に その座床を少なくとも２段階切り替え可能にし、手摺を付けることによって、容易に着座し、楽な姿勢で靴を履き、又は 脱ぎ、そして 容易に立ち上がれる腰掛を提供する。【選択図】図１
0003108618.tif 000002
【実用新案登録請求の範囲】
【請求項１】
少なくとも前脚２本、後脚２本を有し、夫々の脚は背板および一対の手摺により、かつ 前・後脚によって保持される座板で構成される事を特徴とする 前脚・座板跳ね上げ式折りたたみ腰掛
【請求項２】
前脚、後脚、及び 手摺は、スムーズな回動式連結部により接続されていて、座板は少なくとも前脚と後脚に固定した保持具によって、スムーズに回動可能な状態で保持されている 事を特徴とする 前脚・座板跳ね上げ式折りたたみ腰掛    
【請求項３】
少なくとも背板か後脚の一方に壁面固定具を設けてある事を特徴とする前脚・座板跳ね上げ式折りたたみ腰掛
【請求項４】
少なくとも前脚は後脚より奥行き幅が狭い事を特徴とする 前脚・座板跳ね上げ式折りたたみ腰掛
【請求項５】
前脚、座板、及び 手摺を扁平に折りたたんで閉脚した際に、後脚だけで自立できるようにしてある事を特徴とする 前脚・座板跳ね上げ式折りたたみ腰掛
【請求項６】
少なくとも背板か、後脚の一方を壁面に保持し、前脚、座板、及び手摺を跳ね上げ、前脚が後脚と平行 もしくは 直列するように扁平に折りたたみ 閉脚することにより、占有面積を狭められる事を特徴とする 前脚・座板跳ね上げ式折りたたみ腰掛
【請求項７】
少なくとも背板か、後脚の一方を壁面に保持し、前脚、座板、及び手摺を跳ね上げ、それらを後脚の奥行き幅内に収納閉脚することにより、前脚、座板、手摺を後脚の奥行き幅の範囲内に一体的に格納するか、もしくは 前脚と後脚の奥行き幅を合わせた範囲内に座板、手摺を一体的に格納し、不使用時には占有面積を狭める事を特徴とする前脚・座板跳ね上げ式折りたたみ腰掛
【請求項８】
座床を通常の腰掛・椅子より低くし、更に少なくとも２段階に使い分けられる事を特徴とする 前脚・座板跳ね上げ式折りたたみ腰掛
【請求項９】
前脚、座板、及び 手摺よりなる作動部を跳ね上げて扁平に折りたたむ際には、少なくとも前脚に設け係止具を後脚の保持部材に契合させる事により、跳ね上げた前脚、座板、及び 手摺を容易に後脚に掛けることができ、不使用時には、上記作動部が不用意に後脚からずり落ちないよう 安定的に保持し、かつ 使用時には、これら作動部を容易に後脚から外して開脚することを可能にする事を特徴とする 前脚・座板跳ね上げ式折りたたみ腰掛
【請求項１０】
低座床の腰掛から立ち上がる使用者の動きを支える機能を持つと同時に、前・後脚と共にスムーズな回動可能な２支点連結をすることで、座板を保持する前・後脚の２支点と合わせて４支点・４辺の方形を構成し、跳ね上げ運動を安定化する手摺を持つ事を特徴とする  前脚・座板跳ね上げ式折りたたみ腰掛
【請求項１１】
背板を含む後脚を壁面に固定しないで使用すると、開脚状態の方形を保てずに 前後へ押しつぶされるかたちで倒れることがあるが、この倒れるのを抑える 倒れ抑え機構を前脚と後脚間に設ける事を特徴とする  前脚・座板跳ね上げ式折りたたみ腰掛
【考案の詳細な説明】
【技術分野】
【０００１】
本考案は、前脚と座板を跳ね上げて、扁平に折りたたんで閉脚することができる腰掛に関する。
【背景技術】
【０００２】
近年における高年齢化、体格の変化（肥満化）に伴い 日本人の体力が弱くなってきているという現象が目立っている。所謂 「立ち居振る舞い」に自由が利かず、日常生活の中でも支障をきたしている人が多いのである。こういう人たちの支障の中に、外出・帰宅の際に必ず必要な、靴を履き、脱ぐ時、立ったり、座ったり、身をかがめるという動作に苦痛を覚え、外出を苦にする人が多くなっているということがある。靴を履き・脱ぐための椅子なり、腰掛なり、又は 充分な高さの上がり框があれば問題は少ないが、現状 家屋の構造は これに逆行しているというのが実態である。
【０００３】
即ち、日本の高齢化対策、住宅事情、が追い討ちを掛けている。上がり框の低床化、玄関の狭隘化である。“バリア・フリー”なる表現に代表されている“段差の少ない家屋”の実現が、特に 集合住宅（マンション）での上がり框を低くし、玄関から上がり框への、また 上がり框から玄関への昇り降りを楽にしていることは事実である。しかし、その半面  その前後に必要な、靴の履き・脱ぎはかえって苦痛になっている事実を見逃しているのである。戸建住宅でも、同様の傾向が出ていることを忘れてはならない。    
【０００４】
靴の脱ぎ・履きを容易にする補助として、専用の靴履き用の腰掛は市販されているものの、箱型又は 床机型しか存在せず、しかも 腰掛の座板の奥行きは３５０ｍｍから４００ｍｍ近くあって、玄関の有効スペースを大きく奪うことになってしまっている。玄関の狭隘化は、問題を更に大きくしているのである。昔の日本の住宅で、玄関はそれなりに広さもあったが、現在の住宅の狭隘化に伴い、必然的に玄関は狭く、特に 集合住宅では、１メートル前後の幅・奥行きしかないところが多く見かけられる。狭い玄関に それらを置くことは、場所を取ってしまい、 通常の玄関への出入りを阻害するので、靴履き用腰掛の設置を躊躇っている人が多いのである。即ち、市販の靴履き用腰掛では多くの家屋の実情に合わないのである。
【０００５】
一方 場所を取らない 折りたたみ式腰掛はあるが、これらは 床から座板上面までの座床が高く、かつ 座板の横幅が狭く、腰掛けるのに不安定で、高齢者や足腰の弱い人や、肥満体の人が、安心して着座でき、容易に靴を履くのには適していない。加えて、このような人達にとって、脚の開閉に相当な力が必要で、動作も簡単ではない。更に、これら折りたたみ式腰掛の殆どは、‘交差式Ｘ型脚’か‘脚立式Ａ型脚’の上に座板を置く いずれかの前後開閉脚1軸方式であり、稀に 左右開閉脚1軸方式もあるが、いずれも、折りたたんだ場合 壁等に立て掛けることになって、固定する方式にはなっていない。従って、折りたたんで閉脚した時に不安定であるばかりでなく、体裁から見ても、玄関に置くにはふさわしくないと言える。    
【０００６】
劇場、スタジアム等で、不使用時の省スペースタイプの‘跳ね上げ式’腰掛が使われているが、これは床に固定する方式であって、通常の住居の玄関に使用できる性格のものではない。
【考案の開示】
【考案が解決しようとする課題】
【０００７】
本考案は以上のような従来の欠点に鑑み、不使用時には楽に、扁平に閉脚することで、占有面積を狭くして、狭い玄関でも有効に使えるようにすると同時に、高齢者のように足腰の弱い人や、肥満体の人でも 使う時には簡単に開脚して、安心して着座でき、容易に靴が履ける 低座床で、脚の開閉可能な“前脚・座板跳ね上げ式折りたたみ腰掛”を提供することを目的としている（図１、図２、図３、図４）。本考案の前記並びにその他に併せ持つ目的と新規な特徴は以下の説明を添付図面と照らし合わせて読むと、より完全に明らかになるであろう。但し、添付の図面はもっぱら解説のためのものであって、本考案の記述的範囲を限定するものではない。
【課題を解決するための手段】
【０００８】
添付の各図で明らかなように、本考案の基本ユニットは、前脚1と後脚2、座板3、を中心に構成する。以下、本考案の２実施例を図面に基づいて説明する。２実施例共に夫々の脚1、2は、背板5および一対の手摺6により機能的に接続され、座板3は 座板回転軸21を介して前・後脚1、2に保持される構造である（図１、図２、図７）。両実施例の基本的な違いは、前脚を後脚と直列に配するか（図１＝モデル１）、並列に配するか（図２＝モデル２）であって、他の上下回動、閉脚時の保持、壁面への固定等に関しては同じ構造になっている。
【０００９】
前脚1と後脚2の上部は、水平に保たれた手摺6の両端のジョイント部1ａ、2ａと保持連結部材でスムーズな上下回動可能に連結され、座板3は夫々の脚間に水平に固定した２本の座板回転軸21に 上下回動自在に取り付けられているというのが内容である。更に補足説明をすれば、座板回転軸21は、左右の前脚1と左右の後脚2に夫々底部から同じ高さに開けられた座板回転軸保持孔22に挿通されている（図７）。その結果、右又は左側面から見ると、ジョイント部1ａ、2ａの２支点と、座板回転軸21の前後２支点を合わせて４支点を持つ上下回動自在な方形として４辺が接続されていて、座板3を持ち上げることにより、平行四辺形に移行し、その形状を変えながら スムーズな折りたたみ動作を可能にしてある（図５、図６）。
【００１０】
前記に加えて説明すると、座板3下面には、座板保持コマ4を前脚1の間に水平に配した座板回転軸21に対応させ所定の間隔で２個固定すると共に、後脚2の間に水平に配した座板回転軸21に対応させ同様に所定の間隔で２個固定する。この２本の座板回転軸21 は、座板保持コマ4の開口部を挿通し、夫々の軸の端部を左右前脚1及び左右後脚2の水平に開けてある座板回転軸保持孔22に回動自在に保持させてある(図５、図６、図７)。こうして、座板3は、この２本の座板回転軸21により前脚1と後脚2に保持されることになる。尚、座板3を保持する方法として、座板回転軸21を用いる以外に、後脚奥側横持ち板14に蝶番を介したり、座板3横に突起を残して、その突起を介したり、又 座板に直接取り付けた金具等を介することも可能である。
【００１１】
全ての座板保持コマ4の開口部直径、及び 全ての座板回転軸保持孔22の直径を、座板回転軸21の直径より 夫々僅かに大きくし、前及び後座板回転軸21の上下回動を自在とし、座板3後方の座板回転軸21を軸として、後脚の座板回転軸保持孔22を支点として、跳ね上げをスムーズにしてある。又 座板回転軸21が、左右前脚1及び左右後脚2から外れるのを防ぐために、同軸21を保持する左右前脚1と左右後脚2の座板回転軸保持孔22の外側に座板回転軸カバー23を配してある（図１、図２、図３、図４、図７）。
【００１２】
狭い玄関を有効に活用するためには、靴を履くための腰掛を、壁面に密着して使用する必要がある。更に 不使用時には 扁平に折りたたむことから、安全性を高める為に、図示はしていないが、少なくとも背板5か後脚2、又は 背板5及び後脚2の両者を壁面に固定する方法を採用してある。尚、本実施例では、ビスで壁面に固定することにしてあるが、ビスに拘ることなく、両面接着テープ、接着剤、マグネット、ボルト・ナット、釘、中空アンカー、ドリラー、ノンプラグ・タッピング、ボードアンカー、ヒットボス、コンクリートプラグ、マジックテープ（登録商標）、背板に取り付けた突起物を壁面の開口部に挿入する方法等の壁面固定具を用いることができる。
【００１３】
前記の如く単純に壁面に固定できれば問題は少ないが、場所によっては、床の立ち上がり部分の壁に、モール、裾回し、その他の障害物が存在した場合、又は 壁面が平面でないか、若しくは 壁面に凹凸があって、少なくとも後脚2又は背板5と壁面が、容易に接触乃至密着しない場合には、双方の間に予備木板、予備ゴム板、その他充分な固定力を持った壁面固定補助具を配し、少なくとも背板5か後脚2の確実な固定を可能にする。
【００１４】
前脚1の奥行き幅を、後脚2の奥行き幅より狭くすることには、前脚1、座板3と手摺6を跳ね上げた際、後脚2のみで自立させるという目的がある。また、モデル２の場合、前脚1、座板3と手摺6を跳ね上げた際、後脚2の奥行き幅の範囲内に前脚1、座板3と手摺6を格納することにより、閉脚時は後脚2の奥行き幅だけのスペースで良く、無駄な場所を必要とすること無く、後脚だけで自立させる時のバランスもさらに良くなる（図４）。
【００１５】
本実施例では、通常の固定式腰掛や折りたたみ式腰掛と異なり、前脚1、後脚2、座板3及び 手摺6が、ジョイント部1a,2aを介して所謂リンク状に接続されており、座板3を上下する際にスムーズな上下回動を行える状態に連結させてある。前脚1と手摺6が、後脚2の内側に配されたモデル２（図２）の場合、座板3は、左右の前脚1の間隔範囲内におかれる。前脚1と手摺6が後脚2の外側に配された他の場合は、座板3は左右の後脚2の間隔範囲内におかれる。後脚2の内側か外側に、手摺6、前脚1が並列して連結されて、跳ね上げ回動を行う別の場合には、後脚2の奥行き幅の範囲内に前脚1、座板3、及び 手摺6の全てが格納でき、非常に幅狭なスペースとなる(図４、図６)。又は 前脚1が 後足2と直列な状態で跳ね上げ回動を行い、手摺6が前・後脚1、2の内側か外側に連結されるモデル１(図１)の場合には、前脚1と後脚2が直列的に密着し、前脚1と後脚2の奥行き幅を加えた範囲内に 座板及び手摺を格納できる(図３、図５)。モデル１（図１）の場合でも 閉脚時には、開脚時の占有面積の半分以下に狭めることができるのである。前記したように、前脚1の奥行き幅が 後脚2の奥行き幅より狭くしてあるのは、折りたたんで少スペース化を図るというものである。
【００１６】
本考案の特徴の一つに、閉脚時に後脚2だけで自立できる構造がある。前記の如く、本実施例モデル１でもモデル２でも、少なくとも背板5か後脚2、又は 背板5と後脚2の両者を壁面に固定することを前提としてあるが、これは閉脚時の占有面積を扁平にするために、当然奥行きが狭く、不安定になってくることと、[0022]で後述する 押しつぶされるかたちで倒れることを防ぐための手段である。しかし、壁面固定を前提とするが故に閉脚時の前後へのバランスを無視するものではない。閉脚時の前後へのバランスが良ければ、壁面に掛かる負担は当然少なくなり、安定性は増してくる。デザイン的にも安定した視覚が得られるものである。従って、本実施例モデル１でも、モデル２でも、全てのユニットと部材・部品の大きさ、重量を充分に考慮し、更に それらの配置を考慮し、閉脚しても後脚2だけで自立できる安定したバランスのとれたデザインにしてある。本実施例の如く、前脚1が後脚2と直列して密着して負荷が前方に掛かる状態のモデル１(図３)でも、前方に倒れることなく 後脚2だけで自立を確実にしている。図示しないが、後脚2を太い丸太状にすると自立バランスはより安定したものとなる。
【００１７】
前脚1と座板3の回動をスムーズに、同時に 安定的に行うためには、本実施例のように各ユニットは、平板状がベストであるが、平板状に限らず、少なくとも脚は角状でも丸太状でも良く、また、それらを組合せた物でも良く、要は置く場所により夫々デザインを工夫した折りたたみ式腰掛を提供することにある。このように、四脚であって、背板5、手摺6、及び座板3が 上下回動可能な状態で連結され、更に少なくとも背板5か後脚2 と壁面が固定されることによって、座板3は、後脚2の座板回転軸保持孔22を支点として跳ね上げられ、前脚1は、後脚2の内側か外側に格納されるか、又は 後脚2に直列して密着格納しても倒れるようなおそれは無い。その結果、モデル２では前脚1と同じく 座板3と手摺6は、僅か後脚2の奥行き幅の範囲内に格納されるか、モデル２では 少なくとも前・後脚1、2の奥行き幅を加えた範囲内の極めて少スペースに格納できるのである（図３，図４、図５、図６）。
【００１８】
本実施例の場合、前脚1と後脚2を直列的に配したモデル１(図１)もあるが、別の前脚1を 手摺6と並列的に連結し、後脚2の内側か外側に配したモデル２(図２)の場合には、手摺6と 前・後脚1,2のジョイント部1a、2aに使用する保持連結部材の形状と座板3保持方法を 直列型のモデルより変更する可能性がでてくることもある。それは、前記の保持連結部材の形状と座板3の保持方法によって、前脚1、座板3、及び 手摺6の格納に障害が起こる可能性がでるからである。必ず変更が必要になるのは、ジョイント部1a、2a及び座板回転軸保持孔22の位置、背板の上下方向の高さ、取り付け位置である。更に 後脚前側横持ち板13の取り付け位置の変更である。図２と図６における後脚前横持ち板13の部位をご覧頂きたい。その他、例えば、前述の保持連結部材は、手摺6の側面より突出しないよう、少なくとも前脚1か手摺6、又は 前脚1及び手摺6両者のジョイント部1ａ、2ａ側面に窪みをつけ保持連結部材を手摺6側面から突出させないか、予め手摺6側面から突出しない保持連結部材を使用することが必要である。又、座板3保持方法も、[0007]で述べたような方法や、座板回転軸保持孔22の位置を変更する等、格納に支障を起こさない方法を採用する可能性が出てくる。
【００１９】
靴を履く時に、上り框の高さや椅子の座床が高いと、立ち上がり易いが、紐が結び難い。反対に 低いと、結び易いが、立ち上がり難い。この両方の問題を解消するために、本考案では、座床を通常の椅子や腰掛よりも低くしてある。更に、使用者の身長、体格に合わせて、座床の高さを切り替えられることを可能にして、使用者の一層の便宜性を図ってある。本実施例では日本人の一般的な身長とすねの長さに合わせて、座床の高さを２段階に切り替える方式を採用してある（図１、図２、図３、図４）。座床の高さ変更には、座板回転軸21 ２本の両端を止めてある回転軸カバー23のうち前・後脚1、2の左右いずれかの回転軸カバー23の固定具を外し、座板回転軸21 ２本を抜き取り、抜き取った座板回転軸21を他の空いている座板回転軸保持孔22と座板3に固定してある座板保持コマ4を通して挿入し、再度 回転軸カバー23を付けて、固定具で止めるだけである。尚、前・後脚1、2に座板回転軸保持孔22を自由な高さに開けることができるので、本実施例に拘ることなく、必要に応じて、適切な高さの座床を得ることが可能である。
【００２０】
前脚1と座板3を跳ね上げる操作と、跳ね上げた前脚1、座板3の作動部を安定的に保持することが、一つの動作で行える前脚・座板閉脚時保持具を備えてある。これも本考案の大きな特色の一つである。本実施例では、前・後脚1、2の横持ち板12、13を利用することで、この問題を解決している。まず、前脚1の横持ち板下12を前脚1奥側に配し、後脚2の横持ち板13の1枚を後脚2前側に配し、前脚1が跳ね上げられて後脚2に密着した際に、前脚横持ち板下12が後脚前側横持ち板13に接するように夫々の高さを定めてある（図６、図８）。加えて、前脚横持ち板下12の中央部には、ミニアングルを‘逆Ｌ字’に取り付け、掛け金具31とし、後脚前側横持ち板13の上部中央には、掛け金具31が来る位置に同じくミニアングルを‘逆Ｌ字’に取り付け、受け金具32としてある（図８、図９）。これにより、閉脚時には、掛け金具31を、受け金具32に掛けるだけ、逆に 開脚時には、受け金具32から外すだけで、前脚1と座板3は自重で下りてきて、使用可能な方形になるのである。しかも、前記[0019]における座床の高さを変える場合でも、前脚横持ち板下12と後脚前側横持ち板13 と 掛け・受け金具31、32の位置変更の必要は生じない。本実施例では、掛け金具31に対して受け金具32を設けたが(図８、図９)、受け金具32を設けずに直接後脚前側横持ち板13に契合させるようにしても良い。尚、前脚・座板閉脚時保持具としては、上述のミニアングルに限らず、木片、プラスチック片又はブロック、金属ブロック、ミニステー、隅金、その他を使用することもできる。又、ミニアングル等とは 異なった保持方法として、ターンバックル、あおり止め、マジックテープ（登録商標）、マグネット、後脚2前下部に取り付ける前脚1用保持台、前脚1と後脚2に設ける凹凸の窪み・突起による保持等も前脚・座板閉脚時保持具として可能である。
【００２１】
座床を低くすることは、逆に立ち上がり難くすることでもある。これを解決する方法として、立ち上がる時に掴まることのできる手摺6を採用してある。この手摺6は、水平に前脚1と後脚2とに連結してあって、この手摺6両端のジョイント部1a、2a間の距離は、前・後脚1、2の間に水平に配された二つの座板回転軸保持孔22の間の距離と同じになっている（図５、図６）。これにより、ジョイント部1a、2aを２支点、前・後脚1、2の座板回転軸保持孔22を２支点とした合計４支点による方形４辺となる。後脚2の垂直1辺を固定することで、座板3と手摺6の水平2辺はスムーズな円弧運動で跳ね上げられることになる。こうして手摺を付けることで、本考案の大前提たる一実施例である前脚・座板跳ね上げ式折りたたみ機構が完成するのである。
【００２２】
通常 方形は、斜め方向から力が加わると押しつぶされるかたちで倒れる傾向がある。本実施例では、スムーズな回動方式を採用した方形を持っている。従って、押しつぶされるかたちで倒れる可能性がある。これを抑えるために、本考案では 前記の如く 壁面固定具の使用を前提とし、更に[0013]で述べた如く 固定を補強する壁面固定補助具をも考慮してある。しかし、如何にしても壁面固定が不可能な場合に備えて、倒れ抑え機構を考慮してある。建築構造でも同様であるが、この押しつぶされるかたちでの倒れを抑えるには‘筋交い’が最も理想的である。しかし、‘筋交い’は本来固定されていて効果を発揮するものであり、回動自在跳ね上げ式の本考案に採用するには無理がある。そこで、本実施例では、前・後脚1、2の間であって、手摺6と座板3の間の位置に、前脚1と後脚2の間の長さと合計で同じ幅とした倒れ抑え板Ａ41、Ｂ42を夫々水平に 前・後脚1、2の外側に蝶番43をもって取り付けてある（図１０、図１１）。本実施例では、前脚1の奥行き幅と後脚2の奥行き幅の合計が、丁度 前脚1と後脚2の間の長さと同じにしてあるので、閉脚時に外側に観音開き風に開いても、倒れ抑え板Ａ41とＢ42の幅の長さの合計は、前脚1の奥行き幅と後脚2の奥行き幅の合計を超えることはない。使用する開脚時には、図１０に示す如く倒れ抑え板Ａ41とＢ42を 前・後脚1、2の内側に観音閉じ風に閉じて、前・後脚1、2と直列した場所で合わせると, 建築方式の「２Ｘ４方式」と同様に壁の役割を果たし、‘筋交い’と同じ効果を持つことになる(図１０、図１１)。更に、倒れ抑え板Ａ41、Ｂ42と前後脚1、2の４箇所の接触側面に、夫々小型マグネット44を埋め込んで(図１０，１１)、閉脚時に倒れ抑え板Ａ41、同Ｂ42が不用意に水平移動することを防いでいる。倒れ抑え板Ａ41とＢ42が前・後脚1、2間で直列に合わさった時の安定を図るためには、脚材の厚みを考慮する必要がある。更に 倒れ抑え板Ａ41とＢ42 ２枚の接点には、小型係止具45を付けて 両者が接点において確実に固定する構造を取ってある(図１０、図１１)。
【００２３】
尚、本実施例では２枚の倒れ抑え板Ａ41、Ｂ42を用いたが、これに拘ることなく複数枚の倒れ抑え板、例えば、前脚1と後脚2の間の長さと同じ長さを持つ２枚若しくは２枚以上の複数枚を蝶番で連結し、その一端辺を前脚1乃至は後脚2に同じく蝶番で連結し、残った一端の未固定辺を、後脚2乃至は前脚1に直列に接しさせて押しつぶしによる倒れを抑えることも可能である。更に、1枚板の一端辺を前脚1乃至は後脚2に蝶番で連結し、残った一端の未固定辺を後脚2乃至は前脚1に直列に接しさせることで 押しつぶしによる倒れを抑えることも可能である。但し、このような１枚、２枚 乃至 ２枚以上の倒れ抑え板方式は、本実施例のモデル１（図１）の如く、前脚1と後脚2が直列状に配された場合に有効であって、前脚1と後脚2が並列状に配されたモデル２（図２）場合には、抑え板とは発想を変えて、左右どちらか又は両方の前脚1か後脚2に 棒状又は平板状の腕木とした固定具の一端を取り付け、これを上下に回動させて別の一端を左右どちらか 又は 左右両方の前脚1か後脚2に取り付けた受け具に固定することで 押しつぶしによる倒れを抑えるも可能である。更に、前例の如く、前脚1と後脚2が並列状に配された場合には、ミニステーやＬ字金具等を ジョイント部１a、2ａ及び 座板回転軸２本からなる４支点の内角に、閉脚時には取外し、開脚時には固定できる方法で、前脚1、後脚2、手摺6、座板3の４辺が押しつぶされるように倒れることを抑えることも可能である。
【００２４】
又 本実施例で採用している倒れ抑え機構の接点安定具の小型係止具45に限らず、各種ゴンベ、マグネット、各種ラッチ、各種キャッチ、ローラー締り、各種掛け金、各種パッチン錠、各種打ち掛け、その他 開き扉の固定具を利用することができる。
【考案の効果】
【００２５】
本考案の技術的特徴としては、まず 腰掛に４支点・４辺の上下回動式の構造を持たせることで、後脚方向に扁平に折りたたんで安定したかたちで閉脚し、不使用時の占有面積を減らせることがある。次に 全体のデザインのバランスを考慮することで、後脚だけで自立できる設計にしてあることがある。加えて、前脚、後脚を 直列若しくは並列に配置し、前・後脚、手摺、座板の４辺により、開脚時・閉脚時のいずれも極めて安定した、スムーズな上下回動を実現してある。本考案の他の特徴は、靴の紐を結びやすく、解きやすくするための低座床で、しかも高さ調節が容易にできることである。その低座床にも関わらず、立ち上がりやすくするための手摺を付け、その手摺も前足、座板と共に跳ね上げることによって、４支点・４辺を完成させ、占有面積を減らす邪魔にはなっていない。前足・座板閉脚時保持具の考案は、一見単純なものではあるが、本考案の要の一つと言っても過言ではない。即ち、靴を履く人、脱ぐ人にとって、腰掛を跳ね上げ、降ろすという動作は決して好ましいものではない。前記の上下回動のスムーズさも大切であるが、閉脚時に容易に跳ね上げ、簡単に安全に作動部を保持でき、難なく開脚できるこの前脚・座板閉脚時保持具は、横持ち板の位置決めと合わせて、この動作の問題を局限している。倒れ抑え板機構は、上下回動式の安定度を保証するためには欠かせない技術考案である。建築の２Ｘ４と観音開きを合わせて、コンパクトで安定した倒れ抑えとして機能するものとしてある。
【考案を実施するための最良の形態】
【００２６】
本考案に係わる 前脚・座板跳ね上げ式折りたたみ腰掛は、図１及び図２に示すように、横持ち板11、12を持った前脚1 ２本、同様に横持ち板13、14と背板5を持った後脚2 ２本、手摺6 ２本、座板3、座板保持コマ4 ４個、座板回転軸21 ２本、座板回転軸カバー23 ４個とから構成される(図７)。実施例としてモデル１ 及び モデル２の二例を挙げているが、これは 考案としての技術的な幅を持たせるものであって、僅かな占有面積でも問題となる、即ち 通常の横幅を優先するか、閉脚時の面積を優先するかという 使用者の現実局面での深刻なポイントに対する選択肢を広げるためのものである。
【００２７】
前脚1、手摺6、及び後脚2は、夫々の回転をスムーズに可能にするかたちで連結され、手摺6は水平に保たれなくてはいけない。座板回転軸21 ２本は、前脚1と後脚2の夫々の底部から同じ高さに開けられた座板保持孔22に水平に保持されている。座板3は、手摺6と同様にスムーズな動きが取れなければならない。手摺6両端のジョイント部1a、2aの中心からの距離と、前脚1と後脚2にある夫々の座板回転軸孔22 中心からの距離は等しくなくてはいけない。モデル１の場合、倒れ抑え板Ａ41、Ｂ42取り付けのため、前・後脚1、2間の距離と、前脚1と後脚2の奥行き幅の合計長は同じとする(図５、図６)。
【００２８】
扁平に折りたたまれて閉脚している時に、作動部の前脚1、座板3、及び 手摺6は、安定的に後脚2に保持され、かつ 後脚2だけで自立できなくてはならない。そのために、後脚の奥行き幅は、機能上効果のある長さがなくてはいけない。
【００２９】
座床の高さは、使用者の身長に応じて選ぶことができ、座板3の幅は使用者の体格に応じて変更することができる。ただし、座板3の奥行きは、肥満体の人でも無理なく着座できるだけの長さ、かつ折りたたんだ際の占有面積をできるだけ扁平に保つために長くしすぎないという両面からの考慮が必要である。前脚1、後脚2、座板3を含めた全材料の質と厚さは、まず 重めの体重を支えられる強度を保つ必要があり、加えて デザイン、材質、及び 仕上げは、家の代表たる玄関に設置するにふさわしい品格が望ましい。ちなみに、本実施例では、見た目、触れた感触、そして 強度という諸点から、ふさわしい材料として、栂を中心とした木材により仕上げてある。
【図面の簡単な説明】
【００３０】
【図１】本考案に係わる実施例を示す前脚・座板跳ね上げ式折りたたみ腰掛のうち 前・後脚を直列にしたモデル１の右前方からの斜投影図である。
【図２】本考案に係わる実施例を示す前脚・座板跳ね上げ式折りたたみ腰掛のうち 前・後脚と手摺を内側に並列にしたモデル２の右前方からの斜投影図である。
【図３】本実施例の前・後脚の直列モデル１の高い座床における右側面図であって、開脚の状態を点線で、閉脚の状態を実線で示している。
【図４】本実施例の前・後脚、手摺の内側並列モデル２の高い座床における右側面図であって、開脚の状態を実線で、閉脚の状態を点線で示している。
【図５】本実施例の前・後脚の直列モデル１の高い座床における右側拡大部分断面図であって、座板の動きも含めて開脚の状態を実線で、閉脚の状態を点線で示している。
【図６】本実施例の前・後脚、手摺の内側並列モデル２の高い座床における右側拡大部分断面図であって、座板の動きも含めて開脚の状態を実線で、閉脚の状態を点線で示している。
【図７】本実施例の前・後脚の直列モデル１における座板3の保持の状態を示す右下方斜投影部分拡大断面図である。
【図８】本実施例の閉脚時の掛け・受け金具31、32の掛かり状態を示す右側拡大部分断面図である。
【図９】本実施例の閉脚時の掛け・受け金具31、32の掛かり状態を示す右側前斜投影部分拡大断面図である
【図１０】本実施例の倒れ抑え板を装着した状態を示す右側面図である。
【図１１】本実施例の倒れ抑え板の動作を実線と点線で示す右側前面斜投影部分拡大図である。
【符号の説明】
【００３１】
１      前脚
１ａ    前脚と手摺のジョイント部
２      後脚
２ａ    後脚と手摺のジョイント部
３      座板
４      座板保持コマ
５      背板
６      手摺
１１      前脚横持ち板上
１２      前脚横持ち板下
１３      後脚前側横持ち板
１４      後脚奥側横持ち板
２１      座板回転軸
２２      座板回転軸保持孔
２３      座板回転軸カバー
３１      掛け金具
３２      受け金具      
４１      倒れ抑え板Ａ
４２      倒れ抑え板Ｂ
４３      蝶番
４４      小型マグネット
４５      小型係止具
【図１】
0003108618.tif 000003
【図２】
0003108618.tif 000004
【図３】
0003108618.tif 000005
【図４】
0003108618.tif 000006
【図５】
0003108618.tif 000007
【図６】
0003108618.tif 000008
【図７】
0003108618.tif 000009
【図８】
0003108618.tif 000010
【図９】
0003108618.tif 000011
【図１０】
0003108618.tif 000012
【図１１】
0003108618.tif 000013